(57)【要約】【課題】電源としても使用可能な照明装置を提供する。【解決手段】照明装置１０であって、柱部１００と、柱部１００の上部に配置される太陽電池パネル２００と、柱部１００の上部かつ太陽電池パネル２００の下方に配置され、太陽電池パネル２００と電気的に接続される蓄電装置３００と、太陽電池パネル２００の下方の柱部１００に配置され、蓄電装置３００と電気的に接続される発光装置４００と、柱部１００に配置され、蓄電装置３００と電気的に接続される電源コンセント５２０とを備える。【選択図】図１
2017069051.tif 000002
【特許請求の範囲】
【請求項１】
柱部と、
前記柱部の上部に配置される太陽電池パネルと、
前記柱部の上部かつ前記太陽電池パネルの下方に配置され、前記太陽電池パネルと電気的に接続される蓄電装置と、
前記太陽電池パネルの下方の前記柱部に配置され、前記蓄電装置と電気的に接続される発光装置と、
前記柱部に配置され、前記蓄電装置と電気的に接続される電源コンセントと
を備える照明装置。
【請求項２】
さらに、前記蓄電装置を前記柱部に設置する設置面を有し、
前記設置面は、前記柱部の長尺方向に対して垂直に配置されている
請求項１に記載の照明装置。
【請求項３】
前記電源コンセントは、前記蓄電装置の下方に配置される
請求項１または２に記載の照明装置。
【請求項４】
前記電源コンセントは、前記発光装置の下方に配置される
請求項１〜３のいずれか１項に記載の照明装置。
【請求項５】
前記電源コンセントは、前記柱部の下部に配置される
請求項１〜４のいずれか１項に記載の照明装置。
【請求項６】
さらに、前記柱部に形成された開口部を開閉自在に閉塞する蓋体を有し、
前記電源コンセントは、前記開口部の内方に配置される
請求項１〜５のいずれか１項に記載の照明装置。
【請求項７】
前記蓄電装置は、出力が１００ワット以上のリチウムイオン二次電池を有する
請求項１〜６のいずれか１項に記載の照明装置。
【発明の詳細な説明】
【技術分野】
【０００１】
本発明は、太陽電池パネルと蓄電装置とを備える照明装置に関する。
【背景技術】
【０００２】
従来、太陽電池パネルと蓄電装置とを備えた照明装置が知られている（例えば、特許文献１参照）。この特許文献１においては、太陽電池パネルと二次電池とを備えており、太陽光で発電した電力を二次電池に蓄えて照明に利用可能な構成としている。
【先行技術文献】
【特許文献】
【０００３】
【特許文献１】特開２０１２−１６５００８号公報
【発明の概要】
【発明が解決しようとする課題】
【０００４】
ここで、災害時等に例えば停電が起きた場合、電力系統からの電力を使用できなくなるため、近年、当該災害時等に使用できる非常用の電源の必要性が高まってきている。しかしながら、上記従来の装置では、当該災害時等に照明を点灯することはできるが、非常用の電源として使用することはできない。
【０００５】
本発明は、上記問題を解決するためになされたものであり、電源としても使用可能な照明装置を提供することを目的とする。
【課題を解決するための手段】
【０００６】
上記目的を達成するために、本発明の一態様に係る照明装置は、柱部と、前記柱部の上部に配置される太陽電池パネルと、前記柱部の上部かつ前記太陽電池パネルの下方に配置され、前記太陽電池パネルと電気的に接続される蓄電装置と、前記太陽電池パネルの下方の前記柱部に配置され、前記蓄電装置と電気的に接続される発光装置と、前記柱部に配置され、前記蓄電装置と電気的に接続される電源コンセントとを備える。
【０００７】
これによれば、照明装置は、柱部の上部に太陽電池パネルと蓄電装置とを備え、さらに、柱部に発光装置と電源コンセントとが配置されている。このため、通常は、太陽電池パネルによって発電した電力を蓄電装置に貯えて発光装置を発光させることができ、災害時等には、発光装置を発光させるとともに、電源コンセントから電力を供給することができる。このように、電源としても使用可能な照明装置を実現することができる。
【０００８】
また、さらに、前記蓄電装置を前記柱部に設置する設置面を有し、前記設置面は、前記柱部の長尺方向に対して垂直に配置されていることにしてもよい。
【０００９】
これによれば、蓄電装置が柱部の長尺方向に対して垂直な設置面に配置されるため、電源コンセントから電力を供給するために、蓄電装置が大型化ないし高重量化した場合においても、蓄電装置を柱部に安定的に固定することができる。
【００１０】
また、前記電源コンセントは、前記蓄電装置の下方に配置されることにしてもよい。
【００１１】
これによれば、電源コンセントが蓄電装置の下方に配置されることで、電源コンセントにプラグを差すとき等に、蓄電装置が邪魔になるのを防ぎ、災害時等における作業性を向上させることができる。
【００１２】
また、前記電源コンセントは、前記発光装置の下方に配置されることにしてもよい。
【００１３】
これによれば、電源コンセントが発光装置の下方に配置されることで、電源コンセントにプラグを差すとき等に、発光装置が邪魔になるのを防ぐとともに、発光装置からの明かりで手元を照らすことができるため、災害時等における作業性を向上させることができる。
【００１４】
また、前記電源コンセントは、前記柱部の下部に配置されることにしてもよい。
【００１５】
これによれば、電源コンセントが柱部の下部に配置されることで、電源コンセントにプラグを差すとき等に、電源コンセントに手が届き易いため、災害時等における作業性を向上させることができる。また、外部の機器を電源コンセントに繋ぐ際に、必要なコードの長さを短くすることができる。
【００１６】
また、さらに、前記柱部に形成された開口部を開閉自在に閉塞する蓋体を有し、前記電源コンセントは、前記開口部の内方に配置されることにしてもよい。
【００１７】
これによれば、柱部に形成された開口部の内方に電源コンセントが配置され、当該開口部は蓋体によって閉塞されるため、電源コンセントを柱部内に収納して、電源コンセントに雨水等が浸入するのを抑制することができる。
【００１８】
また、前記蓄電装置は、出力が１００ワット以上のリチウムイオン二次電池を有することにしてもよい。
【００１９】
これによれば、蓄電装置は、出力が１００ワット以上のリチウムイオン二次電池を有するため、発光装置を発光させる電力のみならず、電源コンセントから供給する電力も確保することができる。
【発明の効果】
【００２０】
本発明によれば、電源としても使用可能な照明装置を提供することができる。
【図面の簡単な説明】
【００２１】
【図１】本発明の実施の形態に係る照明装置の外観を示す斜視図である。
【図２】本発明の実施の形態に係るコンセント部の構成を示す斜視図である。
【図３】本発明の実施の形態に係る照明装置が備える各部の構成を示すブロック図である。
【図４】本発明の実施の形態の変形例１に係る照明装置の外観を示す斜視図である。
【図５Ａ】本発明の実施の形態の変形例２に係る照明装置の外観を示す斜視図である。
【図５Ｂ】本発明の実施の形態の変形例２に係る照明装置の外観を示す斜視図である。
【図６】本発明の実施の形態の変形例３に係る照明装置の外観を示す斜視図である。
【発明を実施するための形態】
【００２２】
以下、図面を参照しながら、本発明の実施の形態に係る照明装置について説明する。なお、以下で説明する実施の形態は、本発明の一具体例を示すものである。以下の実施の形態で示される数値、形状、材料、構成要素、構成要素の配置位置及び接続形態などは、一例であり、本発明を限定する主旨ではない。また、以下の実施の形態に係る構成要素のうち、最上位概念を示す独立請求項に記載されていない構成要素については、任意の構成要素として説明される。なお、各図は、模式図であり、必ずしも厳密に図示したものではない。
【００２３】
（実施の形態）
まず、照明装置１０の構成について、説明する。
【００２４】
図１は、本発明の実施の形態に係る照明装置１０の外観を示す斜視図である。また、図２は、本発明の実施の形態に係るコンセント部５００の構成を示す斜視図である。
【００２５】
照明装置１０は、例えば道路、公園、駐車場などに設置される外灯であり、図１に示すように、柱部１００、太陽電池パネル２００、蓄電装置３００、発光装置４００及びコンセント部５００を備えている。なお、以降の説明においては、同図に示すＺ軸方向を上下方向（Ｚ軸方向プラス側を上方、Ｚ軸方向マイナス側を下方）、Ｘ軸方向を前後方向（Ｘ軸方向プラス側を前方、Ｘ軸方向マイナス側を後方）、Ｙ軸方向を左右方向として、説明を行う。
【００２６】
柱部１００は、照明装置１０の柱部分であり、太陽電池パネル２００や蓄電装置３００等を支持する金属製かつ長尺状の部材である。ここで、柱部１００は、上部に配置される円筒形状の柱上部１１０と、下部に配置される角筒形状の柱下部１２０とを有している。柱上部１１０と柱下部１２０とは、略同じ長さの長尺状部材であり、また、柱下部１２０は、柱上部１１０よりも太く形成されている。
【００２７】
そして、柱上部１１０の上端に太陽電池パネル２００及び蓄電装置３００が配置され、柱上部１１０の中央部分に発光装置４００が配置される。また、柱下部１２０の上部にコンセント部５００が配置される。また、柱上部１１０及び柱下部１２０の内方には、蓄電装置３００と、発光装置４００及びコンセント部５００とを繋ぐ配線（図示せず）が配置される。
【００２８】
なお、柱部１００の材質は、金属には限定されず、太陽電池パネル２００や蓄電装置３００等を支持可能な強度を有する材質であればよい。また、柱上部１１０の形状は、円筒形状には限定されず、角筒形状など、どのような形状であってもよく、柱下部１２０の形状も、角筒形状には限定されず、円筒形状など、どのような形状であってもかまわない。
【００２９】
太陽電池パネル２００は、太陽光によって発電を行う太陽電池パネル（太陽電池モジュール）であり、柱部１００の上部に配置されている。具体的には、太陽電池パネル２００は、柱部１００の柱上部１１０の上端に配置された蓄電装置３００の上方に固定されている。本実施の形態では、太陽電池パネル２００は、最大出力が１４０ワット程度であり、蓄電装置３００の上方かつ前方に、傾斜角度が４０°になるように設置されている。なお、太陽電池パネル２００の最大出力及び設置の際の傾斜角度は、上記には限定されない。また、本実施の形態では、太陽電池パネル２００は、矩形状のパネルであるが、太陽電池パネル２００の形状は特に限定されない。
【００３０】
蓄電装置３００は、外部からの電気を充電し、また外部へ電気を放電することができる装置（電池モジュール）であり、柱部１００の上部に配置されている。具体的には、蓄電装置３００は、柱部１００の柱上部１１０の上端に固定されている。つまり、蓄電装置３００は、太陽電池パネル２００の下方かつ後方に設置されており、太陽電池パネル２００から供給される電力を充電し、発光装置４００及びコンセント部５００に放電して電力を供給する。
【００３１】
具体的には、蓄電装置３００は、太陽電池パネル２００の直下に設置されている。これにより、太陽電池パネル２００と蓄電装置３００とを繋ぐ配線を短くすることができ、構造が複雑になるのを避けることができる。また、容易に当該配線を外部に露出させないように配置することができるため、風雨などによる故障の発生を低減することもできる。
【００３２】
また、蓄電装置３００は、蓄電装置３００の柱部１００への設置面が、柱部１００の長尺方向（Ｚ軸方向）に対して垂直となるように、柱部１００に固定されている。つまり、柱上部１１０の上端に設置部３０１が設けられており、蓄電装置３００は、設置部３０１上面の設置面に配置されている。ここで、設置部３０１は、柱上部１１０の上端に固定された水平な（ＸＹ平面に平行な）平板状の部材であり、上面が蓄電装置３００の設置面となっている。
【００３３】
このように、照明装置１０は、蓄電装置３００を柱部１００に設置する設置面を有する設置部３０１を備えており、当該設置面は、柱部１００の長尺方向に対して垂直に配置されている。ここで、「垂直」とは、概ねにおいて垂直であればよく、具体的には、蓄電装置３００を設置した場合に蓄電装置３００の重量が垂直方向に大きくかかるような設置面の角度であればよい。さらに具体的には、柱部１００の長尺方向に対する当該設置面の角度は、例えば６０°以上１２０°以下の範囲であればよいが、７０°以上１１０°以下の範囲が好ましく、８０°以上１００°以下の範囲がさらに好ましく、９０°が最も好ましい。このように、当該設置面を有する設置部３０１を柱上部１１０の上端に固定することによって、容易に設置部３０１を柱部１００に配置して、蓄電装置３００を柱部１００に安定して固定することができる。
【００３４】
発光装置４００は、半導体発光素子（ＬＥＤ：Ｌｉｇｈｔ  Ｅｍｉｔｔｉｎｇ  Ｄｉｏｄｅ）によって発光する照明器具であり、柱部１００の上部に配置されている。具体的には、発光装置４００は、柱部１００の柱上部１１０の中央部分から前方に突出するように、当該中央部分の前側の側面に固定されている。つまり、発光装置４００は、太陽電池パネル２００及び蓄電装置３００の下方に配置されており、蓄電装置３００から放電される電力が供給されて、例えば４０ワット形相当の明るさで、下方に向けて発光する。なお、発光装置４００は、所望の照明の機能を果たすことができればよく、大きさや形状などは特に限定されない。
【００３５】
コンセント部５００は、柱部１００の下部に配置されており、外部の機器が接続されると、当該外部の機器に電力を供給する。具体的には、コンセント部５００は、柱部１００の柱下部１２０の上部の前側の側面に固定されている。また、コンセント部５００は、図２の（ａ）に示すように、蓋体５１０を有しており、また、図２の（ｂ）に示すように、蓋体５１０が開放された場合に、柱部１００の柱下部１２０に形成された開口部１２０ａから露出する電源コンセント５２０を有している。
【００３６】
ここで、蓋体５１０は、柱部１００の柱下部１２０に配置され、開口部１２０ａを開閉自在に閉塞する矩形状の蓋である。つまり、蓋体５１０は、ヒンジなどによって左右の１辺が柱下部１２０に回動可能に固定されており、左右の他の１辺を前後方向に動かすことで、開口部１２０ａを開閉することができる。なお、蓋体５１０は、矩形状には限定されず、詳細な構成も特に限定されないが、外部からの水等の浸入を防ぐために、パッキンなどで開口部１２０ａを水密状態に閉塞できる構成であるのが好ましい。また、蓋体５１０は、容易に開閉可能とするために、閉止した場合に、柱下部１２０と係合または嵌合する構造であるのが好ましい。
【００３７】
また、電源コンセント５２０は、柱部１００の柱下部１２０に配置され、かつ、開口部１２０ａの内方に配置されるコンセントである。つまり、電源コンセント５２０は、太陽電池パネル２００及び蓄電装置３００の下方、かつ、発光装置４００の下方に配置（固定）されており、蓄電装置３００から放電される電力が供給される。具体的には、電源コンセント５２０は、柱下部１２０の開口部１２０ａ内に収容されており、蓋体５１０を閉止した場合には柱下部１２０内の密閉空間内に配置された状態ととなり、蓋体５１０を開放した場合には開口部１２０ａから露出した状態となる。本実施の形態では、電源コンセント５２０として、交流電力を供給するＡＣコンセントが２つ設けられている。なお、電源コンセント５２０は、直流電力を供給するＤＣコンセントであってもよいし、コンセントの数は１つでもよいし、３つ以上であってもかまわない。
【００３８】
次に、照明装置１０の各部の構成について、さらに詳細に説明する。
【００３９】
図３は、本発明の実施の形態に係る照明装置１０が備える各部の構成を示すブロック図である。
【００４０】
同図に示すように、蓄電装置３００は、太陽電池パネル２００と電気的に接続されており、太陽電池パネル２００が発電した電力（直流電力）が蓄電装置３００に供給されて、蓄電装置３００が充電される。ここで、蓄電装置３００は、カバーの内方に、制御ユニット３１０と、蓄電素子３２０と、インバータ３３０とを有している。
【００４１】
制御ユニット３１０は、制御基板やリレー等を有しており、蓄電素子３２０の状態を計測したり、蓄電素子３２０の充放電を制御したりする。制御ユニット３１０は、例えば、蓄電素子３２０の側方に配置されている。
【００４２】
具体的には、当該制御基板は、蓄電素子３２０の充電状態や放電状態（電圧、温度などの電池状態）などを取得し、監視し、制御することのできる制御基板であり、配線（リード線）によって蓄電素子３２０の正極端子または負極端子に接続されている。当該制御基板には、例えば、当該監視を行ったり、リレーのオン、オフを制御したりするための制御回路が設けられている。なお、当該制御基板には、他の機器と通信を行うための制御回路が設けられていてもよい。
【００４３】
蓄電素子３２０は、電気を充電し、また、電気を放電することのできる二次電池（単電池）であり、より具体的には、リチウムイオン二次電池などの非水電解質二次電池である。なお、蓄電素子３２０は、非水電解質二次電池には限定されず、非水電解質二次電池以外の二次電池であってもよいし、キャパシタであってもよい。
【００４４】
本実施の形態では、蓄電装置３００は、複数（例えば６個）の蓄電素子３２０が外装体内に配置された蓄電モジュール（組電池）を有している。この複数の蓄電素子３２０は、例えば直列に接続されており、高容量、高出力の蓄電モジュールを構成している。
【００４５】
ここで、本実施の形態では、蓄電装置３００は、複数の蓄電素子３２０（蓄電モジュール）の合計出力が１００ワット以上となるように構成されている。つまり、蓄電装置３００は、出力が１００ワット以上のリチウムイオン二次電池を有している。ここで、蓄電装置３００は、当該出力が２００ワット以上となるのが好ましく、当該出力が２５０ワット以上となるのがさらに好ましい。また、蓄電装置３００は、当該出力で２時間以上放電することができるのが好ましく、当該出力で４時間以上放電することができるのがさらに好ましい。なお、蓄電素子３２０の個数は、１個であってもかまわない。
【００４６】
インバータ３３０は、蓄電装置３００から放電される直流電力を交流電力に変換して、発光装置４００及び電源コンセント５２０に当該交流電力を供給するＤＣ／ＡＣインバータである。インバータ３３０は、例えば、制御ユニット３１０及び蓄電素子３２０の側方に配置されている。
【００４７】
発光装置４００は、蓄電装置３００と電気的に接続されており、蓄電装置３００が放電した交流電力が発光装置４００に供給されて、発光装置４００が発光する。ここで、発光装置４００は、電源回路４１０と、ＬＥＤ基板４２０とを有している。
【００４８】
電源回路４１０は、蓄電装置３００のインバータ３３０と配線（ケーブル）で接続されており、インバータ３３０から供給される交流電力を直流電力に変換するとともに、当該直流電力を定電流に保つ駆動回路である。インバータ３３０からの配線は、柱上部１１０の上部の内方を通って、電源回路４１０に接続されている。
【００４９】
ＬＥＤ基板４２０は、例えばアルミニウム製の矩形状の基板にＬＥＤ（半導体発光素子）が実装されたＬＥＤ実装基板である。つまり、基板の下面にＬＥＤが実装されており、電源回路４１０からの電力が配線（リード線）を介してＬＥＤに供給されることで、ＬＥＤが発光し、下方に向けて光が照射される。本実施の形態では、ＬＥＤ基板４２０の消費電力は、例えば１２ワットまたは１８ワット程度である。
【００５０】
ＬＥＤは、単色の可視光を発する複数のＬＥＤチップが配置されて構成されている。例えば、ＬＥＤは、通電されれば青色光を発する複数の青色発光ＬＥＤチップが、黄色蛍光体粒子を含有した樹脂で覆われることで形成されている。なお、ＬＥＤの構成は、上記には限定されない。
【００５１】
また、発光装置４００は、ＬＥＤの調光を制御する調光回路などの電源回路以外の制御回路を有していてもかまわない。また、発光装置４００は、電源回路４１０を有しておらず、蓄電装置３００から放電される直流電力がインバータ３３０を介さずにＬＥＤ基板４２０に供給されることにしてもよい。また、発光装置４００は、半導体レーザ等のＬＥＤ以外の半導体発光素子、または、電球や蛍光灯など半導体発光素子以外の照明器具で発光する構成でもかまわない。
【００５２】
電源コンセント５２０は、蓄電装置３００と電気的に接続されており、蓄電装置３００が放電した交流電力が供給される。つまり、電源コンセント５２０は、蓄電装置３００のインバータ３３０と配線（ケーブル）で接続されており、インバータ３３０から出力される交流電力が供給される。インバータ３３０からの配線は、柱上部１１０及び柱下部１２０の上部の内方を通って、コンセント部５００に接続されている。
【００５３】
以上のように、本実施の形態における照明装置１０によれば、柱部１００の上部に太陽電池パネル２００と蓄電装置３００とを備え、さらに、柱部１００に発光装置４００と電源コンセント５２０とが配置されている。このため、通常は、太陽電池パネル２００によって発電した電力を蓄電装置３００に貯えて発光装置４００を発光させることができ、災害時等には、発光装置４００を発光させるとともに、電源コンセント５２０から電力を供給することができる。このように、電源としても使用可能な照明装置１０を実現することができる。
【００５４】
また、蓄電装置３００は、柱部１００の長尺方向に対して垂直な設置部３０１上面の設置面に配置されている。このため、電源コンセント５２０から電力を供給するために、蓄電装置３００が大型化ないし高重量化した場合においても、蓄電装置３００を柱部１００に安定的に固定することができている。
【００５５】
また、電源コンセント５２０が蓄電装置３００の下方に配置されることで、電源コンセント５２０にプラグを差すとき等に、蓄電装置３００が邪魔になるのを防ぎ、災害時等における作業性を向上させることができる。
【００５６】
また、蓄電装置３００が柱部１００の上部に配置されているため、外部の機器を電源コンセント５２０に繋ぐために当該外部の機器を配置する際に、蓄電装置３００が邪魔になるのを防ぐことができる。また、人が照明装置１０の近くを通行する際に、蓄電装置３００に接触して怪我をするなど、蓄電装置３００が人の通行の邪魔になるのを防ぐこともできる。
【００５７】
また、電源コンセント５２０が発光装置４００の下方に配置されることで、電源コンセント５２０にプラグを差すとき等に、発光装置４００が邪魔になるのを防ぐとともに、発光装置４００からの明かりで手元を照らすことができるため、災害時等における作業性を向上させることができる。
【００５８】
また、電源コンセント５２０が柱部１００の下部に配置されることで、電源コンセント５２０にプラグを差すとき等に、電源コンセント５２０に手が届き易いため、災害時等における作業性を向上させることができる。また、外部の機器を電源コンセント５２０に繋ぐ際に、必要なコードの長さを短くすることができる。
【００５９】
また、柱部１００に形成された開口部１２０ａの内方に電源コンセント５２０が配置され、当該開口部１２０ａは蓋体５１０によって閉塞されるため、電源コンセント５２０を柱部１００内に収納して、電源コンセント５２０に雨水等が浸入するのを抑制することができる。
【００６０】
また、蓄電装置３００は、出力が１００ワット以上の高出力のリチウムイオン二次電池を有するため、発光装置４００を発光させる電力のみならず、電源コンセント５２０から供給する電力も確保することができる。
【００６１】
また、蓄電装置３００は、当該出力で２時間（または４時間）以上放電することができるため、電源コンセント５２０から比較的長い時間電力を供給することができる。
【００６２】
また、蓄電素子３２０は、リチウムイオン二次電池であるため、鉛蓄電池などと比較して、エネルギー密度が高く設置個数を低減することができる。このため、蓄電装置３００の構成が簡単になり、また、制御ユニット３１０による制御も容易になる。また、蓄電素子３２０がリチウムイオン二次電池であることにより、鉛蓄電池などと比較して軽量化が図れているので、柱部１００の上部に配置することができている。
【００６３】
また、柱部１００は、柱下部１２０が柱上部１１０よりも太く形成されているため、太陽電池パネル２００、蓄電装置３００及び発光装置４００を支えるための強度を確保するとともに、電源コンセント５２０を配置するスペースを確保することができる。
【００６４】
次に、上記実施の形態の変形例について、説明する。
【００６５】
（変形例１）
図４は、本発明の実施の形態の変形例１に係る照明装置１１の外観を示す斜視図である。具体的には、同図は、上記実施の形態における図１に対応する図であり、上記実施の形態において説明した内容と異なる内容を中心に説明する。
【００６６】
図４に示すように、本変形例における照明装置１１は、コンセント部５００が、柱部１００の柱下部１２０の下部に配置されている点で、上記実施の形態における照明装置１０とは異なる。つまり、本変形例におけるコンセント部５００は、上記実施の形態におけるコンセント部５００よりも下方に配置されている。その他の構成については、上記実施の形態における照明装置１０と同様であるため、詳細な説明は省略する。
【００６７】
以上のように、本変形例における照明装置１１によれば、上記実施の形態と同様の効果を奏する。特に、コンセント部５００がより下方に配置されているため、災害時等において電源コンセント５２０に手が届き易く、作業性をさらに向上させることができるとともに、外部の機器を電源コンセント５２０に繋ぐ際に必要なコードの長さをさらに短くすることができる。
【００６８】
（変形例２）
図５Ａ及び図５Ｂは、本発明の実施の形態の変形例２に係る照明装置１２及び１３の外観を示す斜視図である。具体的には、これらの図は、上記実施の形態における図１に対応する図であり、上記実施の形態において説明した内容と異なる内容を中心に説明する。
【００６９】
図５Ａ、図５Ｂに示すように、本変形例における照明装置１２、１３は、コンセント部５００が、柱部の中央部または上部に配置されている点で、上記実施の形態における照明装置１０とは異なる。
【００７０】
つまり、上記実施の形態における柱部１００は、柱上部１１０と柱下部１２０とが略同じ長さであったのに対し、本変形例における柱部１０１、１０２は、柱下部１２１、１２２の方が柱上部１１１、１１２よりも長く形成されており、コンセント部５００は、柱下部１２１、１２２の上部に配置されている。また、柱下部１２２は、柱下部１２１よりも長く形成されている。その他の構成については、上記実施の形態における照明装置１０と同様であるため、詳細な説明は省略する。
【００７１】
以上のように、本変形例における照明装置１２、１３によれば、上記実施の形態と同様の効果を奏する。特に、コンセント部５００がより上方に配置されているため、電源コンセント５２０を蓄電装置３００の近くに配置することができ、電源コンセント５２０と蓄電装置３００とを繋ぐ配線を短くすることができる。また、電源コンセント５２０を人の手が届きにくい位置に配置することで、電源コンセント５２０から誤ってプラグを抜いてしまうなどの不具合を低減することができる。また、外部の機器を柱部１０１、１０２の前面（電源コンセント５２０が配置されている面）に当接させて当該外部の機器を設置する場合、電源コンセント５２０が邪魔になるのを防ぐことができる。
【００７２】
（変形例３）
図６は、本発明の実施の形態の変形例３に係る照明装置１４の外観を示す斜視図である。具体的には、これらの図は、上記実施の形態における図１に対応する図であり、上記実施の形態において説明した内容と異なる内容を中心に説明する。
【００７３】
図６に示すように、本変形例における照明装置１４は、コンセント部５００が、発光装置４００の上方に配置されている点で、上記実施の形態における照明装置１０とは異なる。
【００７４】
つまり、上記実施の形態における発光装置４００は、柱部１００の柱上部１１０に配置されていたのに対し、本変形例における発光装置４００は、柱部１０３の柱下部１２３の上部であってコンセント部５００の下方に配置されている。つまり、コンセント部５００は、柱部１０３の柱下部１２３の上部であって発光装置４００の上方に配置されている。その他の構成については、上記実施の形態における照明装置１０と同様であるため、詳細な説明は省略する。
【００７５】
以上のように、本変形例における照明装置１４によれば、上記実施の形態及び上記変形例２と同様の効果を奏する。
【００７６】
以上、本発明の実施の形態及びその変形例に係る照明装置について説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７７】
例えば、上記の実施の形態及びその変形例では、コンセント部５００は、柱部の前側（Ｘ軸方向プラス側）の側面に形成されていることとした。しかし、コンセント部５００は、柱部の後側（Ｘ軸方向マイナス側）の側面や、右側または左側（Ｙ軸方向プラス側またはマイナス側）の側面に形成されていてもよい。この場合、コンセント部５００を発光装置４００と同じ高さに形成してもよい。つまり、コンセント部５００を発光装置４００とは異なる面に形成することができるため、コンセント部５００と発光装置４００とを同じ高さに形成しても、コンセント部５００と発光装置４００とが干渉しないように配置することができる。
【００７８】
また同様に、上記の実施の形態及びその変形例では、発光装置４００は、柱部の前側（Ｘ軸方向プラス側）の側面に配置されていることとしたが、発光装置４００は、柱部の後側（Ｘ軸方向マイナス側）の側面や、右側または左側（Ｙ軸方向プラス側またはマイナス側）の側面に配置されてもよい。
【００７９】
また、上記の実施の形態及びその変形例では、蓄電装置３００は、太陽電池パネル２００の下方かつ後方に取り付けされていることとした。しかし、蓄電装置３００は、太陽電池パネル２００の下方に離隔して配置されていてもよい。つまり、上述の通り、蓄電装置３００は、太陽電池パネル２００の直下の、柱部１００の上端の設置部３０１上に配置されるのが好ましいが、これには限定されない。例えば、柱部１００の設置部３０１とは異なる位置に、別に水平の設置部を設け、当該設置部上面の設置面に蓄電装置３００を配置することにしてもよい。また、蓄電装置３００を、柱部１００の中央部分などに柱部１００と一体化して配置した構成でもかまわない。この場合、蓄電装置３００は、柱部１００内で水平に配置されるのが好ましい。
【００８０】
また、上記の実施の形態及びその変形例では、コンセント部５００は、柱部に形成された開口部１２０ａを開閉自在に閉塞する蓋体５１０を有していることとした。しかし、蓋体５１０は、柱部にネジ止めなどで固定された蓋であってもよい。また、コンセント部５００は、蓋体５１０を有しておらず、電源コンセント５２０が柱部の内方に収納されている構成でもかまわない。
【００８１】
また、上記の実施の形態及びその変形例では、電源コンセント５２０は、柱部に形成された開口部１２０ａの内方に配置されることとした。しかし、電源コンセント５２０は、柱部の開口部１２０ａから突出して配置されていてもかまわない。
【産業上の利用可能性】
【００８２】
本発明は、電源としても使用可能な照明装置等に適用できる。
【符号の説明】
【００８３】
１０、１１、１２、１３、１４  照明装置
１００、１０１、１０２、１０３  柱部
１１０、１１１、１１２、１１３  柱上部
１２０、１２１、１２２、１２３  柱下部
１２０ａ  開口部
２００  太陽電池パネル
３００  蓄電装置
３０１  設置部
３１０  制御ユニット
３２０  蓄電素子
３３０  インバータ
４００  発光装置
４１０  電源回路
４２０  ＬＥＤ基板
５００  コンセント部
５１０  蓋体
５２０  電源コンセント
【図１】
2017069051.tif 000003
【図２】
2017069051.tif 000004
【図３】
2017069051.tif 000005
【図４】
2017069051.tif 000006
【図５Ａ】
2017069051.tif 000007
【図５Ｂ】
2017069051.tif 000008
【図６】
2017069051.tif 000009